(57)【要約】【課題】  脚部、特に足関節の運動性を向上させる脚部サポート用衣類を提供する。【解決手段】  前側緊締部は、下腿部の前側部分の内側下方から外側上方に向けて斜めに形成される第１の前側緊締部２Ａａと、前側部分の外側下方から第１の前側緊締部２Ａａに達する部分まで斜めに形成される第２の前側緊締部２Ａｂとを有する。前側緊締部２Ａａ，２Ａｂの下方は、足底部分で連なっており、足底緊締部２Ａｃを形成している。後側緊締部２Ｂは、下腿部の後側部分において左右に形成され、この左右に形成された後側緊締部２Ｂが足首近傍の上部部分で交差している。後側緊締部２Ｂの上端は、膝部の下部付近にある上縁部４に達する位置に形成される。左右に形成された後側緊締部２Ｂは、足底部分で連なっており、足底緊締部２Ｂａを形成している。【選択図】  図８
2005256252.tif 000002
【特許請求の範囲】
【請求項１】
脚部の前側部分において、当該前側部分の内側下方から外側上方にかけて斜めに形成される第１の前側緊締部と、
前記前側部分の外側下方から、少なくとも足首近傍の上部部分で前記第１の前側緊締部に達する部分まで斜めに形成される第２の前側緊締部とを有し、
前記第１の前側緊締部の上端が少なくとも膝部の下部部分まで形成されていることを特徴とする脚部サポート用衣類。
【請求項２】
脚部の後側部分において左右に形成される後側緊締部が足首近傍の上部部分で交差し、前記後側緊締部の上端が少なくとも膝部の下部部分まで形成されていることを特徴とする脚部サポート用衣類。
【請求項３】
脚部の前側部分において、当該前側部分の内側下方から外側上方にかけて斜めに形成される第１の前側緊締部と、
前記前側部分の外側下方から、少なくとも足首近傍の上部部分で前記第１の前側緊締部に達する部分まで斜めに形成される第２の前側緊締部と、
脚部の後側部分において左右に形成されるとともに足首近傍の上部部分で交差して形成される後側緊締部とを有し、
前記第１の前側緊締部と前記後側緊締部は、外側の踝の上方部分で連なり、少なくとも膝部の下部部分まで形成されることを特徴とする脚部サポート用衣類。
【請求項４】
前記踝の上方部分は、腓骨の長手方向の中央部分に対応する部分であることを特徴とする請求項３記載の脚部サポート用衣類。
【請求項５】
前記第１および第２の前側緊締部は、足底部分に形成される足底緊締部を有し、当該足底緊締部は、立方骨と踵骨との接続部分を覆い、かつ、第五中足骨にかからないように形成されることを特徴とする請求項１または３に記載の脚部サポート用衣類。
【発明の詳細な説明】
【技術分野】
【０００１】
本発明は、脚部サポート用衣類に関する。
【背景技術】
【０００２】
従来の脚部サポート用衣類には、衣類の所定部分に他の部分よりも緊締力の強い緊締部（サポート部）を形成したものがある。この緊締部の中には、足首を保護し、捻挫等の傷害を予防するために設けられているものがある。例えば、下記特許文献１には、足の甲とアキレス腱部分に緊締部を設け、足首とアキレス腱を保護する脚部サポート用衣類が開示されている。また、下記特許文献２には、長靴下に巻かれる緊締部をマジックテープで形成し、足関節を保護する脚部サポート用衣類が開示されている。さらに、下記特許文献３には、足首を保護するとともに、装着が簡単なサポーターが開示されている。
【特許文献１】実用新案登録第３０９０７３７号公報
【特許文献２】実開平７−２１０８５号公報
【特許文献３】特開平８−１９６６７９号公報
【特許文献４】特許第２７６１４６８号公報
【特許文献５】特公平６−５１９２１号公報
【特許文献６】特許第２６０３７６９号公報
【発明の開示】
【発明が解決しようとする課題】
【０００３】
ところで、脚部サポート用衣類を、スポーツをする際に着用する場合には、脚部サポート用衣類に形成される緊締部は、足関節を保護するためのホールド性を有しながら足関節の運動性を向上させる必要がある。しかしながら、上述した従来の脚部サポート用衣類等では、足関節の運動性についてはまだ十分に発揮されてない。
【０００４】
そこで、本発明は、脚部、特に足関節の運動性を向上させる脚部サポート用衣類を提供することを目的とする。
【課題を解決するための手段】
【０００５】
本発明の脚部サポート用衣類は、脚部の前側部分において、前側部分の内側下方から外側上方にかけて斜めに形成される第１の前側緊締部と、前側部分の外側下方から、少なくとも足首近傍の上部部分で第１の前側緊締部に達する部分まで斜めに形成される第２の前側緊締部とを有し、第１の前側緊締部の上端が少なくとも膝部の下部部分まで形成されていることを特徴とする。
【０００６】
この発明によれば、脚部の前側部分で連なる第１および第２の前側緊締部により、脚部の前側部分にある筋肉の働きがサポートされるため、足関節の背屈が効率よくサポートされる。すなわち、足関節の運動性を向上させることができる。
【０００７】
本発明の脚部サポート用衣類は、脚部の後側部分において左右に形成される後側緊締部が足首近傍の上部部分で交差し、左右に形成される後側緊締部の上端が少なくとも膝部の下部部分まで形成されていることを特徴とする。
【０００８】
この発明によれば、脚部の後側部分で交差する後側緊締部により、脚部の後側部分にある筋肉の働きがサポートされるため、足関節の底屈が効率よくサポートされる。すなわち、足関節の運動性を向上させることができる。
【０００９】
本発明の脚部サポート用衣類は、脚部の前側部分において、前側部分の内側下方から外側上方にかけて斜めに形成される第１の前側緊締部と、前側部分の外側下方から、少なくとも足首近傍の上部部分で前記第１の前側緊締部に達する部分まで斜めに形成される第２の前側緊締部と、脚部の後側部分において左右に形成されるとともに足首近傍の上部部分で交差して形成される後側緊締部とを有し、第１の前側緊締部と後側緊締部は、足の外側にある踝の上方部分で連なり、少なくとも膝部の下部部分まで形成されることを特徴とする。
【００１０】
この発明によれば、脚部の前側部分で連なる第１および第２の前側緊締部により、脚部の前側部分にある筋肉の働きがサポートされ、脚部の後側部分で交差する緊締部により、脚部の後側部分にある筋肉の働きがサポートされるため、足関節の背屈と底屈が効率よくサポートされる。すなわち、足関節の運動性を向上させることができる。
【００１１】
本発明の脚部サポート用衣類において、上記踝の上方部分は、腓骨の長手方向の中央部分に対応する部分であることが好ましい。これによれば、腓骨と脛骨がねじれて動く際に支点となる部分がサポートされるため、足関節をより効率よく動かすことが可能になる。
【００１２】
本発明の脚部サポート用衣類において、第１および第２の前側緊締部は、足底部分に形成される足底緊締部を有し、当該足底緊締部は、立方骨と踵骨との接続部分を覆い、かつ、第五中足骨にかからないように形成されることが好ましい。このようにすれば、立方骨と踵骨との接続部分近傍に停止点を有する筋肉をサポートすることができ、足関節の底屈および背屈の動きがスムーズになるとともに、立方骨と踵骨との接続部分がアーチ状に形成されるように促進されるため、足底における衝撃吸収効果が得られる。
【発明の効果】
【００１３】
本発明に係る脚部サポート用衣類によれば、緊締部により、足関節の背屈・底屈に必要な筋肉の働きがサポートされるため、足関節の運動性を向上させることができるという、優れた効果が期待できる。
【発明を実施するための最良の形態】
【００１４】
以下、本発明の実施形態を図面に基づき説明する。なお、同一要素には同一符号を付し、重複する説明を省略する。
【００１５】
まず、実施形態の説明に先立ち、図１〜図６を参照し、本発明の機能を説明する際に用いる筋肉の配置について説明する。図１，図５および図６は、人体の下腿部を後側から見たときの骨格および筋肉を表す図であり、図２は、人体の下腿部を前側から見たときの骨格および筋肉を表す図であり、図３および図４は、人体の下腿部を側面から見たときの骨格および筋肉を表す図である。
【００１６】
図１に示す筋肉は、長母指屈筋１１であり、腓骨の後面と後下腿筋間中隔より起こり、母指の末節骨底に停止する。この長母指屈筋１１は、主に、足の底屈、母指の屈曲に作用する。図１に示す２５は腓骨であり、２６は脛骨である。図２に示す筋肉は、前脛骨筋１２であり、脛骨の前面より起こり、足根骨に停止する。この前脛骨筋１２は、主に、足の背屈と内反に作用する。
【００１７】
図３に示す筋肉は、短腓骨筋１３であり、腓骨外側面と前下腿筋間中隔より起こり、外踝の後方を通り、第五中足骨粗面に停止する。この短腓骨筋１３は、主に、足の底屈と外反に作用する。図４に示す筋肉は、第三腓骨筋１４であり、長指伸筋の一部が分かれた筋で、第五中足骨底の背側に停止する。この第三腓骨筋１４は、主に、足の背屈と外反に作用する。図５に示す筋肉は、腓腹筋１５であり、大腿骨の内側顆および外側顆より起こり、ヒラメ筋の腱と合してアキレス腱となり、踵骨隆起に停止する。この腓腹筋１５は、主に、足の底屈に作用する。図６に示す筋肉は、後脛骨筋１６であり、下腿骨間膜の後面上方より起こり、内踵の後方を通って前方に至り、足の内側縁から足底に至る。この後脛骨筋１６は、主に、足の底屈と内反に作用する。なお、これらは代表的な筋肉を示したものであり、本発明においてサポートする筋肉を、これらに限定するものではない。
【００１８】
次に、図７〜図９を参照して、本実施形態におけるレッグウェア（脚部サポート用衣類）について説明する。図７は、左脚に着用するレッグウェア１の正面図であり、図８は、左脚に着用するレッグウェア１を外側から見た側面図であり、図９は、レッグウェア１の背面図である。図７〜図９に示すように、レッグウェア１は、下腿部のうち、膝部の下部部分から足首付近の足底までを被覆する膝下ストッキング型の衣類である。また、レッグウェア１は、帯状に形成され、パワーのある素材で形成された前側緊締部２Ａおよび後側緊締部２Ｂからなる緊締部を有する。
【００１９】
ここで、レッグウェア１の本体３および緊締部は、ともに伸縮性を有する（パワーのある）素材により構成されている。しかしながら、生地の緊締力については、緊締部の方が強い点に本発明の特徴がある。伸縮性を有する素材としては、例えば、パワーネット、サテンネット、トリコネット、ツーウェイトリコットまたはツーウェイラッセルがある。なお、本体３の素材は、二方向に伸びを有するものが好ましい。
【００２０】
図７〜図９に示すように、レッグウェア１は、下腿部の前側に対応する前側部分に、前側緊締部２Ａを有し、下腿部の後側に対応する後側部分に、後側緊締部２Ｂを有する。以下、各緊締部の特徴について説明する。
【００２１】
図７および図８に示される前側緊締部２Ａは、下腿部の前側部分において、前側部分の内側下方から外側上方に向けて斜めに形成される第１の前側緊締部２Ａａと、前側部分の外側下方から足首近傍の上部部分で第１の前側緊締部２Ａａに達する部分まで斜めに形成される第２の前側緊締部２Ａｂとを有する。第１の前側緊締部２Ａａの上端は、後側緊締部２Ｂに達する位置に形成される。また、第１の前側緊締部２Ａａおよび第２の前側緊締部２Ａｂの下方は、足底部分で連なっており、足底緊締部２Ａｃを形成している。
【００２２】
このように第１の前側緊締部２Ａａと第２の前側緊締部２Ａｂとを足首近傍の上部部分で連なるように形成することにより、下腿部の前側において斜め方向に働く筋肉を効果的にサポートすることができる。具体的に説明すると、図７および図８に示す矢印ｄ１に対応する位置に形成される第１の前側緊締部２Ａａが、第三腓骨筋１４（図４参照）に当接することにより、第三腓骨筋１４の働きがサポートされる。また、矢印ｄ２に対応する位置に形成される第１の前側緊締部２Ａａおよび第２の前側緊締部２Ａｂが、前脛骨筋１２（図２参照）に当接することにより、前脛骨筋１２（図２参照）の働きがサポートされる。このように、第三腓骨筋１４および前脛骨筋１２の働きがサポートされることにより、足関節の背屈がサポートされることとなる。
【００２３】
図８および図９に示される後側緊締部２Ｂは、下腿部の後側部分において左右に形成され、この左右に形成された後側緊締部２Ｂが足首近傍の上部部分で交差している。また、左右に形成された後側緊締部２Ｂの上端は、膝部の下部付近にある上縁部４に達する位置に形成される。また、左右に形成された後側緊締部２Ｂは、足底部分で連なっており、足底緊締部２Ｂａを形成している。
【００２４】
このように後側緊締部２Ｂを足首近傍の上部部分で交差させて形成することにより、下腿部の後側において斜め方向に働く筋肉を効果的にサポートすることができる。具体的に説明すると、図８に示す矢印ｄ３に対応する位置に形成される後側緊締部２Ｂが、短腓骨筋１３（図３参照）に当接することにより、短腓骨筋１３の働きがサポートされる。また、図９に示す矢印ｄ４に対応する位置に形成される後側緊締部２Ｂが、腓腹筋１５（図５参照）に当接することにより、腓腹筋１５の働きがサポートされる。さらに、図９に示す矢印ｄ５に対応する位置に形成される後側緊締部２Ｂが、長母指屈筋１１（図１参照）、後脛骨筋１６（図６参照）、ヒラメ筋（不図示）およびアキレス腱（不図示）に当接することにより、長母指屈筋１１、後脛骨筋１６、ヒラメ筋およびアキレス腱の働きがサポートされる。このように、短腓骨筋１３、長母指屈筋１１、腓腹筋１５、後脛骨筋１６、ヒラメ筋およびアキレス腱の働きがサポートされることにより、足関節の底屈がサポートされることとなる。なお、矢印ｄ３〜ｄ５については、図８または図９のいずれか一方の図にのみ示したが、これは図面が煩雑になることを防ぐための措置である。したがって、矢印ｄ３〜ｄ５は、本来であれば図８および図９においてそれぞれ対応する部位に示されるものである。また、矢印ｄ３は、下腿部の後側で左右に形成される後側緊締部２Ｂのそれぞれに位置することになる。したがって、矢印ｄ３に対応する位置に形成される後側緊締部２Ｂが、アキレス腱を左右から挟み込むように当接することとなり、アキレス腱の働きが左右から効率よくサポートされる。
【００２５】
図８に示すように、第１の前側緊締部２Ａａは、足の外側にある踝の上方部分で後側緊締部２Ｂに連結している。このように、第１の前側緊締部２Ａａと後側緊締部２Ｂを、踝の上方部分で連結させることにより、それぞれの緊締部が筋肉の働きをサポートする力を増強させることができる。
【００２６】
次に、図１０〜図１３を参照して、緊締部２Ａａ，２Ａｂ，２Ｂを本体３に縫いつける際の縫いつけ位置について説明する。緊締部２Ａａ，２Ａｂ，２Ｂは、例えば、本体３の裏打ち布として本体３の裏側に縫着される。図１０は、人体の下肢部分の側面図であり、図１１は、人体の下腿部下部部分の側面図であり、図１２は、人体の足部分を斜め前側から見たときの斜視図であり、図１３は、左脚に着用するレッグウェア１を外側から見た側面図である。
【００２７】
図１０に示すＰ１は腓骨の骨頭であり、Ｐ３は腓骨の下端である。Ｐ２は腓骨の骨頭Ｐ１と腓骨の下端Ｐ３との中間点（腓骨の長手方向の中央部）に位置し、腓骨と脛骨の２本の骨がねじれて動く際の支点（腓骨と脛骨の交点）に位置する。また、図１１に示す２１は第五中足骨であり、２２は立方骨であり、２３は踵骨である。また、図１２に示すＰ４は足を背屈したときの屈曲点である。
【００２８】
図１３に示すように、後側緊締部２Ｂは、当該後側緊締部２Ｂの上端が腓骨の骨頭Ｐ１にかからないように本体３に縫着される。ただし、後側緊締部２Ｂの上端は、着用時に腓骨の骨頭Ｐ１にかかってもよい。また、第１の前側緊締部２Ａａと後側緊締部２Ｂは、当該第１の前側緊締部２Ａａの上部と後側緊締部２Ｂとの接続部分が、腓骨の骨頭Ｐ１と腓骨の下端Ｐ３との中間点Ｐ２に位置するように本体３に縫着される。すなわち、第１の前側緊締部２Ａａと後側緊締部２Ｂは、Ｐ１とＰ３との中間点Ｐ２で連なるように縫着される。このように、第１の前側緊締部２Ａａと後側緊締部２Ｂとが、Ｐ１とＰ３との中間点Ｐ２で連なるように縫着されることにより、腓骨と脛骨がねじれて動く際に支点となるＰ２がサポートされるため、足関節をより効率よく動かすことが可能になる。
【００２９】
また、第１の前側緊締部２Ａａと第２の前側緊締部２Ａｂとの交差部分の下辺縁が、屈曲点Ｐ４よりも上方に位置し、かつ、第１および第２の前側緊締部２Ａａ，２Ａｂが足の甲部分にかかりすぎることのないように、本体３に縫着される。このように、第１および第２の前側緊締部２Ａａ，２Ａｂを屈曲点Ｐ４にかからないようにして本体３に縫着することにより、足首の運動性が低下するのを防止することができる。
【００３０】
また、第１および第２の前側緊締部２Ａａ，２Ａｂの一部である足底緊締部２Ａｃは、第五中足骨２１にかかることなく、かつ、立方骨２２と踵骨２３との接続部分を覆うように、本体３に縫着される。このように、足底緊締部２Ａｃを、第五中足骨２１にかからないようにして本体３に縫着することにより、足の指の運動性が低下するのを防止することができる。また、足底緊締部２Ａｃが、立方骨２２と踵骨２３との接続部分を覆うようにして本体３に縫着されることにより、短腓骨筋１３および第三腓骨筋１４の停止点近傍がサポートされ、足関節の底屈および背屈の動きがスムーズになるとともに、立方骨２２と踵骨２３との接続部分がアーチ状に形成されるように促進されるため、足底における衝撃吸収効果が得られる。
【００３１】
上述したように本実施形態におけるレッグウェアは、下腿部の前側部分で連なる第１および第２の前側緊締部２Ａａ，２Ａｂにより、下腿部の前側部分にある筋肉（例えば、前脛骨筋１２、第三腓骨筋１４）の働きがサポートされるとともに、下腿部の後側部分で交差する後側緊締部２Ｂにより、下腿部の後側部分にある筋肉（例えば、長母指屈筋１１、短腓骨筋１３、腓腹筋１５、後脛骨筋１６）の働きがサポートされるため、足関節の背屈と底屈が効率よくサポートされる。すなわち、足関節の運動性を向上させることができる。
【００３２】
なお、上述した実施形態においては、第２の前側緊締部２Ａｂが、前側部分の外側下方から第１の前側緊締部２Ａａに達する部分まで形成されているが、第２の前側緊締部２Ａｂの上端が形成される位置は、これに限られない。例えば、図１４に示すように、第２の前側緊締部２Ａｂの上端を、第１の前側緊締部２Ａａと同様に後側緊締部２Ｂに達する位置に形成してもよい。これにより、第２の前側緊締部２Ａｂの形状は、レッグウェア１の前側部分において、第１の前側緊締部２Ａａの形状と左右対称に形成されることとなるため、レッグウェア１を左脚用と右脚用とに区別する必要がなくなる。すなわち、レッグウェア１の一方を左右どちらの脚に着用しても上述した効果と同様の効果を得ることができる。
【００３３】
また、図１５に示すように、第１の前側緊締部２Ａａの上部と第２の前側緊締部２Ａｂの上部を、それぞれがレッグウェア１の前中心にある上縁部４の下方付近において互いに連結するように、伸ばすこととしてもよい。
【００３４】
また、上述した実施形態においては、第１の前側緊締部２Ａａの上端が、後側緊締部２Ｂに達する位置に形成されているが、第１の前側緊締部２Ａａの上端が形成される位置は、これに限られない。例えば、第１の前側緊締部２Ａａと後側緊締部２Ｂとを、足の外側にある踝の上方部分で連結させて一の緊締部を形成し、この一の緊締部の上端をレッグウェア１の上縁部４に達する位置に形成してもよい。また、例えば、第１の前側緊締部２Ａａと後側緊締部２Ｂとを、足の外側にある踝の上方部分で上下に重ねて連結し、この連結した第１の前側緊締部２Ａａと後側緊締部２Ｂの上端をレッグウェア１の上縁部４に達する位置に形成してもよい。さらに、例えば、第１の前側緊締部２Ａａと後側緊締部２Ｂとを、足の外側にある踝の上方部分で並列させて連結し、この連結した第１の前側緊締部２Ａａと後側緊締部２Ｂの上端をレッグウェア１の上縁部４に達する位置に形成してもよい。
【００３５】
また、上述した実施形態においては、第１および第２の前側緊締部２Ａａ，２Ａｂと後側緊締部２Ｂとを形成したレッグウェア１について記載しているが、本発明は、このようなレッグウェア１には限定されない。例えば、第１および第２の前側緊締部２Ａａ，２Ａｂのみが形成されたレッグウェアや、後側緊締部２Ｂのみが形成されたレッグウェアであってもよい。第１および第２の前側緊締部２Ａａ，２Ａｂのみを形成する場合には、第１の前側緊締部２Ａａの上端を、レッグウェア１の上縁部４に達する位置に形成してもよい。
【００３６】
また、上述した実施形態においては、脚部サポート用衣類の代表例としてレッグウェアを用いて説明しているが、本発明は、レッグウェア以外にも適用可能である。例えば、ソックス、ストッキング、タイツ、スパッツ、スポーツウェア等の脚部サポート用衣類にも適用可能である。例えば、大腿部までを覆うストッキングに本発明を適用する場合には、第１，第２の前側緊締部２Ａａ，２Ａｂおよび後側緊締部２Ｂの上部を大腿部まで形成してもよい。また、例えば、腰部までを覆うタイツやスパッツに本発明を適用する場合には、第１,第２の前側緊締部２Ａａ，２Ａｂおよび後側緊締部２Ｂの上部を腰部まで形成してもよい。さらに、例えば、胴部までを覆うスポーツウェアに本発明を適用する場合には、第１,第２の前側緊締部２Ａａ，２Ａｂおよび後側緊締部２Ｂの上部を胴部まで形成してもよい。また、本発明をソックスに適用した場合の側面図を図１６に示す。図１６に示すように、本発明が適用されたソックスは、図８に示すレッグウェア１に踵部分とつま先部分とが付加された構成となる。ソックスの踵部分は、後側緊締部２Ｂに覆われ、ソックスのつま先部分にある足底部分は、後側緊締部２Ｂの一部である足底緊締部２Ｂａに覆われることとなる。
【図面の簡単な説明】
【００３７】
【図１】人体の下腿部を後側から見たときの筋肉および骨格を表した正面図である。
【図２】人体の下腿部を前側から見たときの筋肉および骨格を表した正面図である。
【図３】人体の下腿部を側面から見たときの筋肉および骨格を表した正面図である。
【図４】人体の下腿部を側面から見たときの筋肉および骨格を表した正面図である。
【図５】人体の下腿部を後側から見たときの筋肉および骨格を表した正面図である。
【図６】人体の下腿部を後側から見たときの筋肉および骨格を表した正面図である。
【図７】本実施形態におけるレッグウェアの正面図である。
【図８】本実施形態におけるレッグウェアの側面図である。
【図９】本実施形態におけるレッグウェアの背面図である。
【図１０】人体の下肢部分の側面図である。
【図１１】人体の下腿部下部部分の側面図である。
【図１２】人体の足部分を斜め前側から見たときの斜視図である。
【図１３】本実施形態におけるレッグウェアの側面図である。
【図１４】変形例におけるレッグウェアの正面図である。
【図１５】変形例におけるレッグウェアの正面図である。
【図１６】変形例におけるソックスの側面図である。
【符号の説明】
【００３８】
１・・・レッグウェア、２Ａａ，２Ａｂ・・・前側緊締部、２Ｂ・・・後側緊締部、２Ａｃ，２Ｂａ・・・足底緊締部、４・・・上縁部、１１・・・長母指屈筋、１２・・・前脛骨筋、１３・・・短腓骨筋、１４・・・第三腓骨筋、１５・・・腓腹筋、１６・・・後脛骨筋、２１・・・第五中足骨、２２・・・立方骨、２３・・・踵骨、２５・・・腓骨、２６・・・脛骨。
【図１】
2005256252.tif 000003
【図２】
2005256252.tif 000004
【図３】
2005256252.tif 000005
【図４】
2005256252.tif 000006
【図５】
2005256252.tif 000007
【図６】
2005256252.tif 000008
【図７】
2005256252.tif 000009
【図８】
2005256252.tif 000010
【図９】
2005256252.tif 000011
【図１０】
2005256252.tif 000012
【図１１】
2005256252.tif 000013
【図１２】
2005256252.tif 000014
【図１３】
2005256252.tif 000015
【図１４】
2005256252.tif 000016
【図１５】
2005256252.tif 000017
【図１６】
2005256252.tif 000018